(57)【特許請求の範囲】
【請求項１】
表示部と、操作部と、記憶部とを備えるとともに、ブラウザアプリケーションを実行中の通信端末装置にデータをダウンロードするデータ通信方法であって、
前記表示部に表示されたデータ選択画面で示されたデータリストの中から、ダウンロードを希望する目的データが、前記操作部を利用して選択された場合に、前記通信端末装置が、前記目的データのサイズ情報を含む目的データ管理情報の要求を送信する目的データ管理情報要求工程と；
前記通信端末装置が、前記目的データ管理情報を受信する目的データ管理情報受信工程と；
前記通信端末装置が、前記目的データのサイズ情報に基づいて、前記目的データのサイズが所定サイズを超えるか否かを判定するデータサイズ判定工程と；
前記データサイズ判定工程における判定結果が否定的であった場合に、前記目的データのサイズを含むダウンロード要求確認画面を前記表示部に表示して、前記目的データのダウンロードを実行するか否かを、前記通信端末装置の利用者の判断に委ねる第１ダウンロード要求確認工程と；
前記第１ダウンロード要求確認工程の実行により表示された前記ダウンロード要求確認画面の表示中に、前記目的データのダウンロードが前記操作部を利用して指定された場合に、前記通信端末装置が、前記目的データのダウンロード要求を送信する第１ダウンロード要求工程と；
前記通信端末装置が、前記第１ダウンロード要求工程において送信されたダウンロード要求に対する応答として受信した前記目的データを、前記記憶部の一時的格納領域に前記目的データを格納する第１目的データ格納工程と；
前記データサイズ判定工程における判定結果が肯定的であった場合に、利用者による明示的な指令がなければ格納データが消去されない前記記憶部の恒久的格納領域に前記目的データを格納するための空き領域が存在するか否かを判定する空き領域判定工程と；
前記空き領域判定工程における判定結果が肯定的な場合に、前記通信端末装置が、前記ダウンロード要求確認画面を前記表示部に表示して、前記目的データのダウンロードを実行するか否かを、前記通信端末装置の利用者の判断に委ねる第２ダウンロード要求確認工程と；
前記第２ダウンロード要求確認工程の実行により表示された前記ダウンロード要求確認画面の表示中に、前記目的データのダウンロードが前記操作部を利用して指定された場合に、前記目的データのダウンロード要求を送信する第２ダウンロード要求工程と；
前記通信端末装置が、前記第２ダウンロード要求工程において送信されたダウンロード要求に対する応答として受信した前記目的データを、前記恒久的格納領域に格納する第２目的データ格納工程と；
前記目的データのダウンロードに際しての前記ブラウザアプリケーションの動作履歴を、前記一時的格納領域内に記録する動作履歴記録工程と；を備え、
前記目的データのダウンロードが正常終了した状態で、前記操作部を介して、一つ前の動作履歴上の状態に復帰すべき指令がなされた場合には、前記通信端末装置では、前記データ選択画面を前記表示部に表示し、ダウンロードを希望する新たな目的データの選択待ち状態に遷移する、
ことを特徴とするデータ通信方法。
【請求項２】
前記空き領域判定工程における判定結果が否定的な場合に、前記通信端末装置が、利用者に対して、前記空き領域のサイズを前記目的データのサイズ以上に確保することを示唆する空き領域サイズ確保示唆工程；を更に備えることを特徴とする請求項１に記載のデータ通信方法。
【請求項３】
前記目的データ管理情報を受けた前記通信端末装置が、前記サイズ情報に基づいて、前記目的データのダウンロードに使用するデータ通信方式を決定するデータ通信方式決定工程を更に備え、
前記ダウンロード要求工程では、前記決定された通信方式を指定して、前記目的データのダウンロード要求を送信する、ことを特徴とする請求項１又は２に記載のデータ通信方法。
【請求項４】
前記目的データ格納工程において前記目的データのダウンロードが完了しなかった場合に、前記通信端末装置が、既にダウンロードされた部分以降の部分である残部分に関するダウンロード要求である残部分ダウンロード要求を行う残部分ダウンロード要求工程と；
前記通信端末装置が、前記残部分を受信して、前記恒久的格納領域に格納する残部分格納工程と；を更に備えることを特徴とする請求項１〜３のいずれか一項に記載のデータ通信方法。
【請求項５】
ブラウザアプリケーションを実行可能な移動通信端末装置であって、
画面表示を行う表示部と；
操作入力が行われる操作部と；
データを記憶する記憶部と；
前記表示部に表示されたデータ選択画面で示されたデータリストの中から、ブラウザアプリケーションの実行中にダウンロードを希望する目的データが、前記操作部を利用して選択された場合に、前記目的データのサイズ情報を含む目的データ管理情報の要求を送信する目的データ管理情報要求手段と；
前記目的データのサイズ情報に基づいて、前記目的データのサイズが所定サイズを超えるか否かを判定するデータサイズ判定手段と；
前記データサイズ判定手段による判定結果が否定的であった場合に、前記目的データのサイズを含むダウンロード要求確認画面を前記表示部に表示して、前記目的データのダウンロードを実行するか否かを、前記移動通信端末装置の利用者の判断に委ねるとともに、前記ダウンロード要求確認画面の表示中に、前記目的データのダウンロードが前記操作部を利用して指定された場合に、前記目的データのダウンロード要求を送信し、返送されてきた前記目的データを前記記憶部の一時的格納領域に前記目的データを格納する第１ダウンロード手段と；
前記データサイズ判定手段による判定結果が肯定的であった場合に、利用者による明示的な指令がなければ格納データが消去されない前記記憶部の恒久的格納領域に前記目的データを格納するための空き領域が存在するか否かを判定する空き領域判定手段と；
前記空き領域判定手段による判定結果が肯定的な場合に、前記ダウンロード要求確認画面を前記表示部に表示して、前記目的データのダウンロードを実行するか否かを、前記移動通信端末装置の利用者の判断に委ねるとともに、前記ダウンロード要求確認画面の表示中に、前記目的データのダウンロードが前記操作部を利用して指定された場合に、前記目的データのダウンロード要求を送信し、前記ダウンロード要求に応じて返送されてきた前記目的データを前記恒久的格納領域に格納する第２ダウンロード手段と；
前記目的データのダウンロードに際しての前記ブラウザアプリケーションの動作履歴を、前記一時的格納領域内に記録する動作履歴記録手段と；
前記目的データのダウンロードが正常終了した状態で、前記操作部を介して、一つ前の動作履歴上の状態に復帰すべき指令がなされた場合には、前記データ選択画面を前記表示部に表示し、ダウンロードを希望する新たな目的データの選択待ち状態に遷移させる動作状態遷移制御手段と；
を備えることを特徴とする移動通信端末装置。
【請求項６】
前記空き領域判定手段は、前記判定結果が否定的な場合に、利用者に対して、前記空き領域のサイズを前記目的データのサイズ以上に確保することを示唆する、ことを特徴とする請求項５に記載の移動通信端末装置。
【請求項７】
前記サイズ情報に基づいて、前記目的データのダウンロードに使用するデータ通信方式を決定するデータ通信方式決定手段を更に備え、
前記第１及び第２ダウンロード手段は、前記決定された通信方式を指定して、前記目的データのダウンロード要求を送信する、ことを特徴とする請求項５又は６のいずれか一項に記載の移動通信端末装置。
【請求項８】
前記恒久的格納領域は、データ種別ごとに領域分割され、
前記目的データ管理情報には、前記目的データのデータ種別情報が更に含まれる、ことを特徴とする請求項５〜７のいずれか一項に記載の移動通信端末装置。
【発明の詳細な説明】
【技術分野】
【０００１】
本発明は、データ通信方法及び移動通信端末装置に係り、より詳しくは、サーバ装置から通信端末装置へ向けてデータをダウンロードするデータ通信方法、当該データ通信方法を実行するデータ通信システムで使用可能な移動通信端末装置に関するものである。
【背景技術】
【０００２】
従来から、携帯電話装置を代表とする移動通信端末装置が広く普及している。かかる移動通信端末装置の機能や性能の向上は目覚しく、移動通信端末装置としての必須機能である通話機能やメールの送受信機能に加えて、ブラウザ機能を実装することが一般的となってきている。そして、移動通信端末装置では、ブラウザ機能を利用して、サーバ装置等からゲーム等のプログラムデータを移動通信端末装置にダウンロードし、その後に移動通信端末装置において当該ダウンロードしたプログラムを実行させることも行われている。【０００３】
また、サーバ装置等から静止画、動画等の画像データをダウンロードし、情報通信端末装置において当該ダウンロードされた画像データに係る画像を表示させて鑑賞したり、表示部における壁紙として使用したりすることも行われている。さらに、メロディや歌といった音データをダウンロードし、当該ダウンロードした音データに係る音楽を鑑賞したり、着信時における着信通知音として使用したりすることも行われている。【０００４】
こうしたコンテンツデータのダウンロードは、移動通信網を介してサーバ装置から行われることが多い。かかる移動通信網を介したコンテンツデータのダウンロードに際しては、移動通信端末装置では、サーバ装置からダウンロードされて来たコンテンツデータが一時的格納領域に格納される。この一時的格納領域は、ブラウザとしての動作の履歴とともにダウンロードされたコンテンツデータも一時的に格納される。そして、利用者によるコンテンツデータの保存が指令された場合には、利用者による明示的な指令がなければ格納データが消去されない恒久的格納領域に、当該コンテンツデータが格納されるようになっている。【０００５】
また、通常は、一時的格納領域にはブラウザ動作の履歴及び付随するデータが格納されるので、当該一時的格納領域を参照することにより、以前のブラウザ動作の状況を再現したり、以前のブラウザ動作の状況が再現された状態から、その後のブラウザ動作の変遷状況を再現できるようになっていたりする。なお、一時的格納領域には履歴及び付随するデータが順次格納されるが、最新の履歴及び付随するデータを格納するためには一時的格納領域の開き領域が足りないときには、格納されている履歴及び付随するデータを旧い順に消去するようになっている。
【発明の開示】
【発明が解決しようとする課題】
【０００６】
上述した移動通信端末装置用にサーバ装置に用意されるコンテンツは、その内容の高度化にともなって、データ量が増大する傾向にある。このため、従来の方法でコンテンツデータのダウンロードを行った場合には、コンテンツデータが大きい場合には、そのコンテンツデータを活用にするために最終的に恒久的格納領域の空き領域が足りない場合が多く発生することになる。こうした場合には、利用者が、明示の指定により、優先度が低い恒久的格納領域のデータを消去した後にそのダウンロードデータを格納することになるが、そのダウンロードデータが最も優先度が低いときには、長時間にわたるダウンロード動作が無駄なものとなってしまっていた。【０００７】
また、従来の方法でコンテンツデータのダウンロードを行った場合には、コンテンツデータは、一時的に一時的格納領域に格納されることになるが、コンテンツデータが大きい場合には、履歴及び付随するデータの種類の数が極端に少なくなってしまうことになる。このために一時的格納領域を大きくすることが考えられるが、この場合には装置構成の規模が必然的に大規模なものとなってしまう。また、大きなコンテンツデータをダウンロードすることは頻繁に行われることではないので、大半の時間は一時的格納領域内に大きな遊び領域が発生する事態を招いてしまう。【０００８】
本発明は、上記の事情を鑑みてなされたものであり、簡易な構成で利用者の利便性を向上することができるデータ通信方法を提供することを目的とする。
【０００９】
また、本発明は、本発明のデータ通信方法を実行するデータ通信システムで使用することができる移動通信端末装置を提供することを目的とする。
【課題を解決するための手段】
【００１０】
本発明は、第１の観点からすると、表示部と、操作部と、記憶部とを備えるとともに、ブラウザアプリケーションを実行中の通信端末装置にデータをダウンロードするデータ通信方法であって、前記表示部に表示されたデータ選択画面で示されたデータリストの中から、ダウンロードを希望する目的データが、前記操作部を利用して選択された場合に、前記通信端末装置が、前記目的データのサイズ情報を含む目的データ管理情報の要求を送信する目的データ管理情報要求工程と；前記通信端末装置が、前記目的データ管理情報を受信する目的データ管理情報受信工程と；前記通信端末装置が、前記目的データのサイズ情報に基づいて、前記目的データのサイズが所定サイズを超えるか否かを判定するデータサイズ判定工程と；前記データサイズ判定工程における判定結果が否定的であった場合に、前記目的データのサイズを含むダウンロード要求確認画面を前記表示部に表示して、前記目的データのダウンロードを実行するか否かを、前記通信端末装置の利用者の判断に委ねる第１ダウンロード要求確認工程と；前記第１ダウンロード要求確認工程の実行により表示された前記ダウンロード要求確認画面の表示中に、前記目的データのダウンロードが前記操作部を利用して指定された場合に、前記通信端末装置が、前記目的データのダウンロード要求を送信する第１ダウンロード要求工程と；前記通信端末装置が、前記第１ダウンロード要求工程において送信されたダウンロード要求に対する応答として受信した前記目的データを、前記記憶部の一時的格納領域に前記目的データを格納する第１目的データ格納工程と；前記データサイズ判定工程における判定結果が肯定的であった場合に、利用者による明示的な指令がなければ格納データが消去されない前記記憶部の恒久的格納領域に前記目的データを格納するための空き領域が存在するか否かを判定する空き領域判定工程と；前記空き領域判定工程における判定結果が肯定的な場合に、前記通信端末装置が、前記ダウンロード要求確認画面を前記表示部に表示して、前記目的データのダウンロードを実行するか否かを、前記通信端末装置の利用者の判断に委ねる第２ダウンロード要求確認工程と；前記第２ダウンロード要求確認工程の実行により表示された前記ダウンロード要求確認画面の表示中に、前記目的データのダウンロードが前記操作部を利用して指定された場合に、前記目的データのダウンロード要求を送信する第２ダウンロード要求工程と；前記通信端末装置が、前記第２ダウンロード要求工程において送信されたダウンロード要求に対する応答として受信した前記目的データを、前記恒久的格納領域に格納する第２目的データ格納工程と；前記目的データのダウンロードに際しての前記ブラウザアプリケーションの動作履歴を、前記一時的格納領域内に記録する動作履歴記録工程と；を備え、前記目的データのダウンロードが正常終了した状態で、前記操作部を介して、一つ前の動作履歴上の状態に復帰すべき指令がなされた場合には、前記通信端末装置では、前記データ選択画面を前記表示部に表示し、ダウンロードを希望する新たな目的データの選択待ち状態に遷移する、ことを特徴とするデータ通信方法である。
【００１１】
このデータ通信方法では、まず、目的データ管理情報要求工程において、表示部に表示されたデータ選択画面で示されたデータリストの中から、ダウンロードを希望する目的データが、操作部を利用して選択された場合に、ブラウザアプリケーションを実行中の通信端末装置が、ダウンロードを希望する目的データのサイズ情報を含む目的データ管理情報の要求を送信する。この要求を受けた目的データ管理情報のサーバ装置は、当該目的データ管理情報を通信端末装置へ向けて送信する。こうして目的データ管理情報のサーバ装置から送信された目的データ管理情報を、通信端末装置は、目的データ管理情報受信工程において受信する。
【００１２】
次に、目的データ管理情報を受けた通信端末装置が、データサイズ判定工程において、目的データのサイズ情報に基づいて、目的データのサイズが所定サイズを超えるか否かを判定する。ここで、所定サイズとは、当該目的データのダウンロードの履歴の付随データとして一時的格納領域に格納した場合に、ブラウザアプリケーションとしての一時的格納領域への履歴の格納数確保の観点から予め定められたデータサイズである。【００１３】
データサイズ判定工程における判定結果が否定的であった場合、すなわち、目的データのサイズが所定サイズを超えない場合には、第１ダウンロード要求確認工程において、当該目的データのサイズを含むダウンロード要求確認画面を前記表示部に表示して、目的データのダウンロードを実行するか否かを、通信端末装置の利用者の判断に委ねる。そして、第１ダウンロード要求確認工程の実行により表示されたダウンロード要求確認画面の表示中に、目的データのダウンロードが前記操作部を利用して指定されると、第１ダウンロード要求工程において、通信端末装置が、目的データのダウンロード要求を送信する。このダウンロード要求に応答して目的データが返送されてくると、第１目的データ格納工程において、通信端末装置が、目的データを受信して、記憶部の一時的格納領域に格納する。この一時的格納領域には、動作履歴も格納されるので、目的データの格納に際しては、以前の動作履歴が一時的格納領域から消去される場合もあるが、新たに格納される目的データのサイズが限られているので、後の動作履歴の使い勝手に深刻な影響がでる程大幅に以前の履歴が消去されることはない。
【００１４】
一方、データサイズ判定工程における判定結果が肯定的であった場合、すなわち、目的データのサイズが所定サイズを超える場合には、空き領域判定工程において、通信端末装置が、目的データのサイズ情報に基づいて、利用者による明示的な指令がなければ格納データが消去されない記憶部の恒久的格納領域に目的データを格納するための空き領域が存在するか否かを判定する。この判定が肯定的であった場合には、第２ダウンロード要求確認工程において、通信端末装置が、ダウンロード要求確認画面を表示部に表示して、目的データのダウンロードを実行するか否かを、通信端末装置の利用者の判断に委ねる。そして、第２ダウンロード要求確認工程の実行により表示されたダウンロード要求確認画面の表示中に、目的データのダウンロードが操作部を利用して指定されると、第２ダウンロード要求工程において、通信端末装置は、目的データのダウンロード要求を送信する。
【００１５】
このダウンロード要求を受けた目的データのサーバ装置（上記の目的データ管理情報のサーバ装置と同一の場合もあるし、異なる場合もある）は、当該目的データを通信端末装置へ向けて送信する。通信端末装置は、こうして目的データのサーバ装置から送信された目的データは、第２目的データ格納工程において受信され、恒久的格納領域に格納される。【００１６】
この結果、目的データは、そのサイズに応じて、一時的格納領域、又は、可能な場合には恒久的格納領域に格納されるので、大きな一時的格納領域を用意せずに、適切な数の操作の履歴を一時的格納領域内に保持できるとともに、不要なダウンロード動作を行わずに済む。
また、上記のようなダウンロード動作と並行して実行される動作履歴記録工程において、目的データのダウンロードに際しての前記ブラウザアプリケーションの動作履歴が、記憶部の一時的格納領域内に記録される。そして、目的データのダウンロードが正常終了した状態で、操作部を介して、一つ前の動作履歴上の状態に復帰すべき指令がなされた場合には、通信端末装置では、データ選択画面を前記表示部に表示し、ダウンロードを希望する新たな目的データの選択待ち状態に遷移する。
したがって、本発明のデータ通信方法によれば、簡易な構成で利用者の利便性を向上することができる。
【００１７】
本発明のデータ通信方法では、前記空き領域判定工程における判定結果が否定的な場合に、前記通信端末装置が、利用者に対して、前記空き領域のサイズを前記目的データのサイズ以上に確保することを示唆する空き領域サイズ確保示唆工程；を更に備えるようにすることができる。この場合には、空き領域サイズ判定工程における判定が否定的であった場合には、空き領域サイズ確保示唆工程において、通信端末装置の利用者に対して、空き領域のサイズを目的データのサイズ以上に確保することが示唆される。この結果、利用者が、ダウンロード前に目的データの格納領域を確保する必要があるか否かを判断することができる。【００１８】
また、本発明のデータ通信方法では、前記目的データ管理情報を受けた前記通信端末装置が、前記サイズ情報に基づいて、前記目的データのダウンロードに使用するデータ通信方式を決定するデータ通信方式決定工程を更に備え、前記ダウンロード要求工程では、前記決定された通信方式を指定して、前記目的データのダウンロード要求を送信するようにすることができる。【００１９】
この場合には、データ通信方式決定工程において、目的データ管理情報を受けた通信端末装置が、目的データ管理情報に含まれる目的データのサイズ情報に基づいて、目的データのダウンロードに使用するデータ通信方式を決定する。かかる決定に際しては、回線の利用効率及びダウンロード時間の予測をし、適切と考えられるデータ通信方式に決定する。例えば、目的データのサイズが所定サイズ未満の場合には、データ通信方式をパケット通信方式に決定し、目的データのサイズが所定サイズ以上の場合には、データ通信方式を回線交換通信方式に決定するようにすることができる。この結果、目的データのサイズに関わらず、回線の利用効率の低下を招かず、かつ、合理的な時間内に目的データのダウンロードを完了することができる。【００２１】
また、本発明のデータ通信方法では、前記目的データ格納工程において前記目的データのダウンロードが完了しなかった場合に、前記通信端末装置が、既にダウンロードされた部分以降の部分である残部分に関するダウンロード要求である残部分ダウンロード要求を行う残部分ダウンロード要求工程と；前記通信端末装置が、前記残部分を受信して、前記恒久的格納領域に格納する残部分格納工程と；更に備えるようにすることができる。【００２２】
この場合には、目的データのダウンロード動作がタイムアウトや回線断等により、目的データのダウンロードが完了しないまま終了した場合には、通信端末装置は、残部分ダウンロード要求工程において、既にダウンロードされた部分以降の部分である残部分に関するダウンロード要求である残部分ダウンロード要求を行う。この要求を受けた目的データのサーバ装置は、目的データの当該残部分を通信端末装置へ向けて送信する。こうして目的データのサーバ装置から送信された目的データの残部分を、通信端末装置は、残部分受信工程において受信する。このため、目的データのダウンロードが途中で終了してしまった場合であっても、再度目的データの全てのダウンロードを行わずに、先のダウンロード動作の終了時における残部分のみをダウンロードするだけで済む。したがって、効率のよい目的データのダウンロードを行うことができる。【００３１】
本発明は、第２の観点からすると、ブラウザアプリケーションを実行可能な移動通信端末装置であって、画面表示を行う表示部と；操作入力が行われる操作部と；データを記憶する記憶部と；前記表示部に表示されたデータ選択画面で示されたデータリストの中から、ブラウザアプリケーションの実行中にダウンロードを希望する目的データが、前記操作部を利用して選択された場合に、前記目的データのサイズ情報を含む目的データ管理情報の要求を送信する目的データ管理情報要求手段と；前記目的データのサイズ情報に基づいて、前記目的データのサイズが所定サイズを超えるか否かを判定するデータサイズ判定手段と；前記データサイズ判定手段による判定結果が否定的であった場合に、前記目的データのサイズを含むダウンロード要求確認画面を前記表示部に表示して、前記目的データのダウンロードを実行するか否かを、前記移動通信端末装置の利用者の判断に委ねるとともに、前記ダウンロード要求確認画面の表示中に、前記目的データのダウンロードが前記操作部を利用して指定された場合に、前記目的データのダウンロード要求を送信し、返送されてきた前記目的データを前記記憶部の一時的格納領域に前記目的データを格納する第１ダウンロード手段と；前記データサイズ判定手段による判定結果が肯定的であった場合に、利用者による明示的な指令がなければ格納データが消去されない前記記憶部の恒久的格納領域に前記目的データを格納するための空き領域が存在するか否かを判定する空き領域判定手段と；前記空き領域判定手段による判定結果が肯定的な場合に、前記ダウンロード要求確認画面を前記表示部に表示して、前記目的データのダウンロードを実行するか否かを、前記移動通信端末装置の利用者の判断に委ねるとともに、前記ダウンロード要求確認画面の表示中に、前記目的データのダウンロードが前記操作部を利用して指定された場合に、前記目的データのダウンロード要求を送信し、前記ダウンロード要求に応じて返送されてきた前記目的データを前記恒久的格納領域に格納する第２ダウンロード手段と；前記目的データのダウンロードに際しての前記ブラウザアプリケーションの動作履歴を、前記一時的格納領域内に記録する動作履歴記録手段と；前記目的データのダウンロードが正常終了した状態で、前記操作部を介して、一つ前の動作履歴上の状態に復帰すべき指令がなされた場合には、前記データ選択画面を前記表示部に表示し、ダウンロードを希望する新たな目的データの選択待ち状態に遷移させる動作状態遷移制御手段と；を備えることを特徴とする移動通信端末装置である。
【００３２】
この移動通信端末装置では、表示部に表示されたデータ選択画面で示されたデータリストの中から、ブラウザアプリケーションの実行中にダウンロードを希望する目的データが、前記操作部を利用して選択された場合に、目的データ管理情報要求手段が、ダウンロードを希望する目的データのサイズ情報を含む目的データ管理情報の要求を送信する。この要求に応答して返送されてきた当該目的データ管理情報内のサイズ情報に基づいて、データサイズ判定手段が、目的データのサイズが所定サイズを超えるか否かを判定する。
【００３３】
データサイズ判定手段による判定結果が否定的であった場合には、第１ダウンロード手段が、まず、目的データのサイズを含むダウンロード要求確認画面を表示部に表示して、目的データのダウンロードを実行するか否かを、利用者の判断に委ねる。引き続き、当該ダウンロード要求確認画面の表示中に、目的データのダウンロードが前記操作部を利用して指定されると、第１ダウンロード手段が、目的データのダウンロード要求を送信する。そして、第１ダウンロード手段は、返送されてきた目的データをブラウザアプリケーションの履歴を格納する記憶部の一時的格納領域に格納する。
【００３４】
一方、データサイズ判定手段による判定結果が肯定的であった場合には、空き領域判定手段が、利用者に明示的な指令がなければ格納データが消去されない記憶部の恒久的格納領域に目的データを格納するための空き領域が存在するか否かを判定する。この判定が肯定的であった場合には、第２ダウンロード手段が、まず、目的データのサイズを含むダウンロード要求確認画面を表示部に表示して、目的データのダウンロードを実行するか否かを、利用者の判断に委ねる。引き続き、当該ダウンロード要求確認画面の表示中に、目的データのダウンロードが前記操作部を利用して指定されると、第２ダウンロード手段が、目的データのダウンロード要求を送信し、ダウンロード要求に応じて返送されてきた目的データを恒久的格納領域に格納する。
上記のようなダウンロード動作と並行して、動作履歴記録手段が、目的データのダウンロードに際しての前記ブラウザアプリケーションの動作履歴を、記憶部の一時的格納領域内に記録する。そして、目的データのダウンロードが正常終了した状態で、操作部を介して、一つ前の動作履歴上の状態に復帰すべき指令がなされた場合には、動作状態遷移制御手段が、データ選択画面を前記表示部に表示し、ダウンロードを希望する新たな目的データの選択待ち状態に遷移する。
【００３５】
すなわち、本発明の移動通信端末装置を、上述したデータ通信システムにおける通信端末装置として採用することにより、本発明のデータ通信方法を使用して、簡易な構成の当該移動通信端末装置に対して、利用者の利便性を向上させつつ、目的データのダウンロード動作を実行することができる。したがって、本発明の移動通信端末装置は、本発明のデータ通信システムで好適に使用することができる。【００３６】
本発明の移動通信端末装置では、前記空き領域判定手段が、前記判定結果が否定的な場合に、利用者に対して、前記空き領域のサイズを前記目的データのサイズ以上に確保することを示唆する構成とすることができる。この場合には、空き領域判定手段により表示された空き領域サイズ確保の示唆表示を見ることにより、利用者が、目的データのダウンロード前に目的データの格納領域を確保する必要があるか否かを判断することができる。【００３７】
また、本発明の移動通信端末装置では、前記サイズ情報に基づいて、前記目的データのダウンロードに使用するデータ通信方式を決定するデータ通信方式決定手段を更に備え、前記ダウンロード手段が、前記決定された通信方式を指定して、前記目的データのダウンロード要求を送信する構成とすることができる。この場合には、データ通信方式決定手段が、目的データ管理情報に含まれる目的データのサイズ情報に基づいて、目的データのダウンロードに使用するデータ通信方式を決定する。この結果、目的データのサイズに関わらず、回線の利用効率の低下を招かず、かつ、合理的な時間内に目的データのダウンロードを完了することができる。
【００３９】
また、本発明の移動通信端末装置では、前記恒久的格納領域がデータ種別ごとに領域分割され、前記目的データ管理情報には、前記目的データのデータ種別情報が更に含まれる構成とすることができる。この場合には、目的データのデータ種別に応じた恒久的格納領域内の分割領域（データ種別ごとのホルダ等）に、目的データを格納することができる。
【発明の効果】
【００４０】
以上説明したように、本発明のデータ通信方法によれば、簡易な構成で利用者の利便性を向上することができるという効果を奏する。
【００４１】
また、本発明の移動通信端末装置によれば、本発明のデータ通信方法を実行するデータ通信システムで使用することができるという効果を奏する。
【図面の簡単な説明】
【００４２】
【図１】本発明の一実施形態に係る移動通信端末装置である携帯電話装置を含むデータ通信システムの構成を概略的に示すブロック構成図である。
【図２Ａ】図１の携帯電話装置の正面側外観を概略的に示す図である。
【図２Ｂ】図１の携帯電話装置の背面側外観を概略的に示す図である。
【図３】図２Ａ及び図２Ｂの携帯電話装置の内部構成を説明するための機能ブロック図である。
【図４Ａ】図３の記憶部の構成を説明するための図である。
【図４Ｂ】図４Ａの恒久的記憶領域の構成を説明するための図である。
【図４Ｃ】図４Ａの一時的記憶領域の構成を説明するための図である。
【図５】図１のコンテンツサーバの構成を概略的に示すブロック構成図である。
【図６Ａ】図５の管理情報群の構成を説明するための図である。
【図６Ｂ】図６Ａの管理情報ファイルの構成を説明するための図である。
【図７Ａ】図５のコンテンツデータ群の構成を説明するための図である。
【図７Ｂ】図７Ａのコンテンツデータファイルの構成を説明するための図である。
【図８】図１のシステムにおけるダウンロード動作を説明するためのシーケンス図である。
【図９】図８におけるコンテンツデータの選択時における表示例を示す図である。
【図１０】図８における通信方式の決定処理を説明するためのフローチャートである。
【図１１】図８におけるダウンロード前処理を説明するためのフローチャートである。
【図１２】図１０の処理における表示例を説明するための図である。
【図１３】図８におけるコンテンツデータダウンロード処理を説明するためのフローチャートである。
【図１４】図８におけるダウンロード後処理を説明するためのフローチャートである。
【図１５】変形例を説明するための図である。
【発明を実施するための最良の形態】
【００４３】
以下、本発明の一実施形態を、図１〜図１５を参照しつつ説明する。なお、これらの図においては、同一又は同等の要素には同一の符号を付し、重複する説明を省略する。【００４４】
図１には、本発明の一実施形態に係る移動通信端末装置としての携帯電話装置１０を含むデータ通信システム１００の構成が模式的に示されている。図１に示されるように、このデータ通信システム１００は、（ａ）携帯電話装置１０と、（ｂ）携帯電話装置１０と無線通信を行う基地局４２を介して、携帯電話装置１０が接続される通信網４１と、（ｃ）通信網４１に接続されたコンテンツサーバ５０とを備えている。ここで、携帯電話装置の数及び基地局の数は、一般に多数であるが、図１では、１つの携帯電話１０と、１つの基地局４２とが代表的に示されている。
【００４５】
図２には、携帯電話装置１０の外観構成が概略的に示されている。図２に示されるように、携帯電話装置１０は、（ａ）後述する制御部２１を備える携帯電話本体１１（図３参照）と、（ｂ）電話番号を入力するためのテンキー、及び、動作モードの切替等の各種指令を制御部２１に入力するためのファンクションキーを有する操作部１２と、（ｃ）制御部２１による指令に応じて、操作案内、動作状況、受信メッセージ等を表示する液晶表示装置を有する表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）制御部２１による指令に応じて、着信音や案内音を発生するための案内用スピーカ１６とを備えている。さらに、携帯電話１０は、（ｇ）基地局との間で無線信号を授受するためのアンテナ１７を備えている。【００４６】
ここで、携帯電話本体１１は、図３に示されるように、その内部に、（ｉ）携帯電話本体１１の全体の動作を統括制御する制御部２１と、（ii）リードオンリメモリ（ＲＯＭ）やランダムアクセスメモリ（ＲＡＭ）等に構成された記憶部２３と、（iii）基地局４２との間で通信を行うための無線送受信部２４とを備えている。【００４７】
制御部２１は、中央処理装置（ＣＰＵ）やデジタル信号処理装置（ＤＳＰ）等を有し、プログラムを実行する処理装置となっている。この制御部２１では、コンテンツデータをダウンロードするためのデータ通信プログラム３０をはじめとして、様々なプログラムが実行される。【００４８】
データ通信プログラム３０は、（ｉ）コンテンツサーバ５０に対して、ダウンロードを希望するコンテンツデータに関する管理情報の要求を送信する管理情報要求部３１と；（ii）管理情報の要求に応答してサーバ装置から返送されてきた管理情報内の目的データのサイズ情報に基づいて、前記目的データのダウンロードに使用するデータ通信方式を決定する通信方式決定部３２と；（iii）コンテンツデータのダウンロード要求し、ダウンロードされたコンテンツデータを受信するとともに、ダウンロードに際して利用者に対して様々な注意を喚起するダウンロード部と；を備えている。なお、コンテンツデータの管理情報については、後述する。【００４９】
記憶部２３は、図４Ａに示されるように、利用者による明示的な消去指令がなければ、格納データを保持し続ける恒久的格納領域８１と、格納データを一時的に保持する一時的格納領域８６とを有している。ここで、恒久的格納領域８１は、図４Ｂに示されるように、音データホルダ領域８２Ｓ、静止画データホルダ領域８２Ｐ、ビデオデータホルダ領域８２Ｖ、アプリケーションプログラムデータホルダ領域８２Ｊ等を含んでいる。ダウンロードされたコンテンツデータはそのデータ種別に応じた領域に格納される。【００５０】
また、一時的格納領域８６では、図４Ｃに示されるように、携帯電話装置１０で実行されるブラウザアプリケーション等の実行アプリケーションが履歴領域８７を確保できるようになっている。この履歴領域８７には、実行アプリケーションの動作履歴等が一時的に格納されるようになっており、履歴領域８７の履歴を参照することにより、利用者は、例えば、以前の操作時における画面やその時点におけるダウンロードデータ等を呼び出すことができるようになっている。なお、履歴情報の量が履歴領域８６に格納できるデータ量を超えた場合には、古い履歴情報が自動的に消去されるようになっている。また、アプリケーションの実行が終了したときには、当該アプリケーションによって確保された履歴領域は解放されるようになっている。【００５１】
コンテンツサーバ５０は、図５に示されるように、（ａ）コンテンツサーバ５０の全体の動作を統括制御する制御処理装置５１と、（ｂ）管理情報データ群６１やコンテンツデータ群６６等の各種データを格納する記憶装置５３と、（ｃ）通信網４１を介した通信を行うための送受信装置５４とを備えている。ここで、制御処理装置５１は、（ｉ）送受信装置５４を介して入力したデータを解析する受信データ解析部する受信データ解析部５６と、（ii）管理情報要求に応答して応じて、管理情報要求を発行した装置へ向けて要求された管理情報を送信する管理情報送信部５７と、（iii）ダウンロード要求に応じて、ダウンロード要求を発行した装置へ向けてコンテンツデータを送信するコンテンツデータ送信部５８と、を備える。【００５２】
管理情報データ群６１は、図６Ａに示されるように、複数（本実施形態では、Ｎ個）の管理情報ファイル６２1〜６２Nから構成されている。そして、各管理情報ファイル６２j（ｊ＝１〜Ｎ）には、図６Ｂに示されるように、当該管理情報ファイル６２jに対応するコンテンツデータの種別（ＴＹＰＥ）、当該コンテンツデータのサイズ（ＳＩＺＥ）、当該コンテンツデータのＵＲＩ（Uniform Resource Identifier）（ＤＵＲＩ）等が、例えばＸＭＬ（eXtensible Markup Language）で記述されている。なお、管理情報ファイル６１jには、上記のデータ種別（ＴＹＰＥ）、データサイズ（ＳＩＺＥ）、データのＵＲＩ（ＤＵＲＩ）の他に、管理情報ファイル６２jのバージョン情報等が記述される。【００５３】
コンテンツデータ群６６は、図７Ａに示されるように、複数（本実施形態では、Ｎ個）のコンテンツデータファイル６７1〜６７Nから構成されている。ここで、各コンテンツデータファイル６７jは、管理情報ファイル６２jに対応している。【００５４】
各コンテンツデータファイル６７j（ｊ＝１〜Ｎ）には、図７Ｂに示されるように、ヘッダ部とデータ部とから構成されている。ヘッダ部には、当該コンテンツデータの種別（ＴＹＰＥ）、当該コンテンツデータのサイズ（ＳＩＺＥ）等が記述されている。また、データ部には、コンテンツデータが格納されている。【００５５】
次に、上記のように構成されたデータ通信システム１００における、携帯電話装置１０のブラウザ機能を利用したコンテンツデータのダウンロード動作について、主に図８〜図１４を参照するとともに、適宜他の図面を参照して説明する。なお、携帯電話装置１０においてはブラウザアプリケーションが既に実行されているものとする。【００５６】
まず、図８のステップＳ１０１において、携帯電話１０の利用者が、操作部１２を操作して、ダウンロードを希望するコンテンツデータ選択する。この選択の際における表示部１３における表示例が図９において画面Ｆ９として示されている。この図９の表示例では、着信時に着信した旨を利用者に知らせるための歌の曲名を選択する例が示されている。なお、選択されるコンテンツとしては、着信時に着信した旨を利用者に知らせるためのメロディ、画像、プログラム等とすることもできる。【００５７】
こうしたコンテンツ選択画面の表示を見ながら、利用者によりコンテンツが選択される、すなわち利用者の操作部１２の操作により、図９における「決定」がなされると、管理情報要求部３１が、コンテンツ識別子（ＩＤ（IDentifier））（図９の場合には、曲名Ｃの着信通知用歌の識別子）をパラメータとして、無線送受信部２４を介して、管理情報要求をコンテンツサーバ５０へ向けて送信する。なお、この送信及び以後おけるデータ送受信は、通信方式の変更が携帯電話装置から要求されるまでは、パケット通信方式で行われる。この場合、コンテンツ選択画面は、その表示時の状況情報とともに、履歴情報化されて履歴領域８７に格納される。【００５８】
図８に戻り、携帯電話装置１０から送信され、基地局４２及び通信網４１を介した管理情報要求は、コンテンツサーバ５０に到達する。コンテンツサーバ５０では、送受信装置５４を介して受信データ解析部５６が管理情報要求を受信する。こうして、管理情報要求を受信した受信データ解析部５６は、受信データを解析し、受信データが管理情報要求であった場合には、管理情報要求を受信した旨及びコンテンツ識別子を管理情報送信部５７へ通知する。【００５９】
管理情報要求を受信した旨及びコンテンツ識別子の通知を受けた管理情報送信部５７は、通知されたコンテンツ識別子に対応する管理情報ファイル６２kを記憶装置５３内の管理情報群６１の中から読み出す。そして、管理情報送信部５７は、読み出された管理情報ファイル６２kの内容をコンテンツ識別子に対応する管理情報として、送受信装置５４を介して、携帯電話装置１０へ向けて送信する。【００６０】
コンテンツサーバ５０から送信され、通信網４１及び基地局４２を介した管理情報は、携帯電話装置１０に到達する。携帯電話装置１０では、無線送受信部２４を介して、通信方式決定部３２が管理情報を受信する。こうして、管理情報を受信した通信方式決定部３２は、ステップＳ１０２において、通信方式を決定する。【００６１】
このステップＳ１０２では、まず、図１０のステップＳ１１１において、通信方式決定部３２が、受信した管理情報内のデータ種別（ＴＹＰＥ）が許容できるものであるか否かが判定される。この判定が否定的であった場合には、処理はステップＳ１１７へ移行する。ステップＳ１１７では、この場合には、通信方式決定部３２は、管理情報内のデータ種別が許容できないものである旨のエラーメッセージを表示部１３に表示し、利用者にその旨を知らせる。このエラー表示画面は、履歴情報化されて履歴領域８７に格納される。そして、処理が終了し、以後のダウンロード動作は中止される。【００６２】
一方、ステップＳ１１１における判定が肯定的であった場合には、処理はステップＳ１１２へ移行する。このステップＳ１１２では、通信方式決定部３２が、受信した管理情報内のデータサイズ（ＳＩＺＥ）が許容値以下であるか否かが判定される。この判定が否定的であった場合には、処理はステップＳ１１７へ移行する。ステップＳ１１７では、この場合には、通信方式決定部３２が、管理情報内のデータサイズが許容値を超えるものである旨のエラーメッセージを表示部１３に表示し、利用者にその旨を知らせる。このエラー表示画面は、履歴情報化されて履歴領域８７に格納される。そして、処理が終了し、以後のダウンロード動作は中止される。【００６３】
一方、ステップＳ１１２における判定が肯定的であった場合には、処理はステップＳ１１３へ移行する。このステップＳ１１３では、通信方式決定部３２が、受信した管理情報内のデータサイズが、通信方式の決定のために予め定められた値（以下、「第１所定値」という）以下か否かを判定する。なお、この第１所定値は、携帯電話装置１０におけるパケット使用可能タイムスロット数の閾値等のパケット通信条件により定められる。ステップＳ１１３における判定が否定的であった場合には、処理はステップＳ１１４へ移行する。このステップＳ１１４では、通信方式決定部３２が、ダウンロードの通信方式を回線交換通信方式に決定する。【００６４】
一方、ステップＳ１１３における判定が肯定的であった場合には、処理はステップＳ１１５へ移行する。このステップＳ１１５では、通信方式決定部３２が、ダウンロードの通信方式をパケット通信方式に決定する。【００６５】
こうしてステップＳ１１４又はステップＳ１１５において通信方式が決定すると、ステップＳ１１６において、通信方式決定部３２が、決定された通信方式及び管理情報をダウンロード部３３へ通知する。こうして、ステップＳ１０２の処理が終了する。【００６６】
図８に戻り、通信方式が決定されてステップＳ１０２が終了すると、ステップＳ１０３において、ダウンロード部３３がダウンロード前処理を行う。このステップＳ１０３では、図１１に示されるように、まず、ステップＳ１２０において、ダウンロード部３３が、受信した管理情報内のデータサイズが、コンテンツデータの格納先の決定のために予め定められた値（以下、「第２所定値」という）以下が否かが判定される。なお、この第２所定値は、ブラウザアプリケーションが確保した履歴領域８７の大きさと、履歴領域８７に格納する最低履歴数条件により定めされる。【００６７】
ステップＳ１２０における判定結果が否定的であった場合には、ダウンロード部３３は、コンテンツデータの格納先を履歴領域８７にする決定する。そして、処理が、後述するステップＳ１２４へ移行する。【００６８】
一方、ステップＳ１２０における判定結果が肯定的であった場合には、ダウンロード部３３は、コンテンツデータの格納先を恒久的格納領域８１に決定する。そして、処理が、ステップＳ１２１へ移行する。【００６９】
ステップＳ１２１では、ダウンロード部３３が、恒久的格納領域８１におけるコンテンツデータ用の空き領域が十分に存在するか否かを判定する。なお、この判定は、コンテンツデータ用の空き領域の大きさ、管理情報内のデータサイズ、及び、必要な場合には同時実行処理されるプログラムが使用する領域を考慮して行われる。ここで、同時実行処理間の競合関係を考慮する必要がない場合には、コンテンツデータ用の空き領域の大きさが管理情報内のデータサイズ以上であるか否かによって判定が行われる。【００７０】
ステップＳ１２１における判定が否定的であった場合には、ステップＳ１２２において、ダウンロード部３３が、利用者に対して空き領域の確保の示唆を行う。この示唆に際しての、表示部１３への表示例が図１２において画面Ｆ１２Ａとして示されている。この空き領域確保示唆画面の表示中に、空き領域の確保を行わないこと、例えば画面Ｆ１２Ａの表示中に「いいえ」が利用者の操作部１２の操作により選択されると、処理は後述するステップＳ１２６へ移行する。【００７１】
一方、空き領域確保示唆画面の表示中に、空き領域の確保を行うこと、例えば画面Ｆ１２Ａの表示中に「はい」が利用者の操作部１２の操作により選択されると、例えば図１２において画面Ｆ１２Ｂのような空き領域確保用画面が表示される。そして、利用者が、削除可能なファイルを削除することにより、空き領域の確保を図る。そして、空き領域の確保のために削除可能なファイルの削除が終了すると、処理がステップＳ１２３へ移行する。【００７２】
図１１に戻り、ステップＳ１２３においては、ダウンロード部３３が、コンテンツデータ用の空き領域が確保されたか否かが判定される。この判定が否定的であった場合には、処理はステップＳ１２６へ移行する。このステップＳ１２６では、ダウンロード部３３が、空き領域の大きさが十分に確保できなかったので、ダウンロード動作を中止した旨の表示を表示部１３に行った後、以後のダウンロード動作を終了する。【００７３】
一方、ステップＳ１２３における判定が肯定的あった場合には、処理はステップＳ１２４へ移行する。このステップＳ１２４では、ダウンロード部３３が、電源容量の残量を検出する。引き続き、ステップＳ１２５において、ダウンロード部３３が、ダウンロードの実行の確認を行う。この確認に際して表示部１３に表示されるダウンロード確認画面の例が、図１２において画面Ｆ１２Ｃ及びＦ１２Ｄに示されている。ここで、画面Ｆ１２Ｃには、コンテンツデータのデータサイズから推測されるダウンロード時間に対して電源容量の残量に余裕がある場合の表示例が示され、画面Ｆ１２Ｄには、電源容量の残量に余裕の在るとはいえない場合の表示例が示されている。こうして、ステップＳ１０３における処理が終了する。
【００７４】
こうした画面Ｆ１２Ｃ又はＦ１２Ｄのようなダウンロード確認画面の表示中に、ダウンロードを実行しないこと、すなわち画面Ｆ１２Ｃ又はＦ１２Ｄの表示中に、「いいえ」が利用者の操作部１２の操作により選択されると、以後のダウンロード動作が中止される。一方、ダウンロード確認画面の表示中に、ダウンロードを実行すると、図８のステップＳ１０４におけるコンテンツデータダウンロード処理が開始する。この場合、ダウンロード確認画面は、その表示時の状況情報とともに、履歴情報化されて履歴領域８７に格納される。【００７５】
このステップＳ１０４では、図１３に示されるように、まず、ステップＳ１３１において、ダウンロード部３３が、上記で決定された通信方式を指定し、コンテンツデータのＵＲＩ（ＤＵＲＩ）をパラメータとして、無線送受信部２４を介して、ダウンロード要求をコンテンツサーバ５０へ向けて送信する。この後、決定された通信方式によりデータ通信が行われる。【００７６】
図８に戻り、携帯電話装置１０から送信され、基地局４２及び通信網４１を介したダウンロード要求は、コンテンツサーバ５０に到達する。コンテンツサーバ５０では、送受信装置５４を介して受信データ解析部５６がダウンロード要求を受信する。こうして、ダウンロード要求を受信した受信データ解析部５６は、受信データを解析し、受信データがダウンロード要求であった場合には、ダウンロード要求を受信した旨及びコンテンツデータのＵＲＩをコンテンツデータ送信部５８へ通知する。【００７７】
ダウンロード要求を受信した旨及びコンテンツデータのＵＲＩの通知を受けたコンテンツデータ送信部５８は、通知されたコンテンツデータのＵＲＩに対応するコンテンツデータファイル６７kを記憶装置５３内のコンテンツデータ群６１の中から読み出す。そして、コンテンツデータ送信部５８は、読み出されたコンテンツデータファイル６２kの内容を、送受信装置５４を介して、携帯電話装置１０へ向けて送信する。【００７８】
コンテンツサーバ５０から送信され、上記の指定された通信方式によって通信網４１及び基地局４２を介したコンテンツデータは、携帯電話装置１０に到達する。携帯電話装置１０では、無線送受信部２４を介して、ダウンロード部３３が、コンテンツデータを受信して、先のステップＳ１２０において決定された格納領域にコンテンツデータを格納する。なお、コンテンツデータの格納先が恒久的格納領域８１であった場合には、ダウンロード部３３は、コンテンツデータのデータ種別に対応する恒久的格納領域８１内の領域に、受信したコンテンツデータを格納する。例えば、データ種別が音データであった場合には、ダウンロードされたコンテンツデータは、音データホルダ領域８２Ｓに格納される。この受信動作の間には、表示部１３には所定のアニメーションが表示される。【００７９】
図１３に戻り、コンテンツデータの受信動作が終了すると、ダウンロード部３３は、ステップＳ１３２において、データ受信が正常終了したか否かを判定する。この判定が肯定的であった場合には、ステップＳ１０４の処理が終了する。【００８０】
一方、回線断、タイムアウト等の発生によりステップＳ１３２における判定が否定的であった場合には、処理はステップＳ１３３へ移行する。このステップＳ１３３では、ダウンロード部３３が、既にダウンロードできた部分以後の残部分について、コンテンツデータのＵＲＩ及び残部分位置がパラメータとした残部分ダウンロード要求を、無線送受信部２４を介してコンテンツサーバ５０へ向けて送信する。【００８１】
携帯電話装置１０から送信され、基地局４２及び通信網４１を介した残部分ダウンロード要求は、コンテンツサーバ５０に到達する。コンテンツサーバ５０では、送受信装置５４を介して受信データ解析部５６が残部分ダウンロード要求を受信する。こうして、残部分ダウンロード要求を受信した受信データ解析部５６は、受信データを解析し、受信データが残部分ダウンロード要求であった場合には、ダウンロード要求を受信した旨、コンテンツデータのＵＲＩ及び残部分位置をコンテンツデータ送信部５８へ通知する。【００８２】
残部分ダウンロード要求を受信した旨、コンテンツデータのＵＲＩ及び残部分位置の通知を受けたコンテンツデータ送信部５８は、通知されたコンテンツデータのＵＲＩに対応するコンテンツデータファイル６７k中の残部分を読み出す。そして、コンテンツデータ送信部５８は、読み出された残部分の内容を、送受信装置５４を介して、携帯電話装置１０へ向けて送信する。【００８３】
コンテンツサーバ５０から送信され、通信網４１及び基地局４２を介した残部分データは、携帯電話装置１０に到達する。携帯電話装置１０では、無線送受信部２４を介して、ダウンロード部３３が残部分データを受信し、先にステップＳ１２０で決定された格納領域に残部分データを格納する。【００８４】
図１３に戻り、残部分データの受信動作が終了すると、ダウンロード部３３は、ステップＳ１３４において、データ受信動作が正常終了したか否かを判定する。この判定が肯定的であった場合には、ステップＳ１０４の処理が終了する。【００８５】
一方、ステップＳ１３４における判定が否定的であった場合には、処理はステップＳ１３５へ移行する。このステップＳ１３５では、コンテンツデータがダウンロードできなかった旨がエラー表示され、以後のダウンロード動作が中止される。【００８６】
図８に戻り、全てのコンテンツデータを正常が受信されると、ステップＳ１０５において、ダウンロード部３３が、ダウンロード後処理を行う。このステップＳ１０５では、図１４に示されるように、まず、ステップＳ１４１において、管理情報におけるデータ種別と、コンテンツデータのヘッダ部におけるデータ種別とが一致するか否かが判定される。この判定が否定的であった場合には、処理はステップＳ１４４へ移行する。ステップＳ１４４では、この場合には、データ種別が不正である旨のエラー表示が表示部１３に表示される。このエラー表示画面は、履歴情報化されて履歴領域８７に格納される。そして、ダウンロード部３３が、受信したコンテンツデータを消去して、ステップＳ１０５の処理を終了する。【００８７】
一方、ステップＳ１４１における判定が肯定的であった場合には、処理はステップＳ１４２移行する。このステップＳ１４２は、管理情報におけるデータサイズと、コンテンツデータのヘッダ部におけるデータサイズとが一致するか否かが判定される。この判定が否定的であった場合には、処理はステップＳ１４４へ移行する。ステップＳ１４４では、この場合には、データサイズが不正である旨のエラー表示が表示部１３に表示される。このエラー表示画面は、履歴情報化されて履歴領域８７に格納される。そして、ダウンロード部３３が、受信したコンテンツデータを消去して、ステップＳ１０５の処理を終了する。【００８８】
一方、ステップＳ１４２における判定が肯定的であった場合には、処理はステップＳ１４３へ移行する。このステップＳ１４３では、ダウンロード部３３が、ダウンロードされたコンテンツデータが正しいものである認定し、ダウンロード処理が正常終了した旨を表示部１３に表示する。そして、ステップＳ１０５の処理を終了する。【００８９】
履歴領域８７を参照して行われるコンテンツへのアクセスを伴う過去の操作状態への遷移は、利用者の指令に従って行われる。なお、ダウンロード処理が正常終了した状態から、一つ前の履歴上の状態に復帰すべき指令が利用者によりなされた場合には、ダウンロード実行が指令されたダウンロード確認画面（図１２における画面Ｆ１２Ｃ又はＦ１２Ｄ参照）の表示状態に遷移するのではなく、その前のダウンロード動作の開始が要求されたコンテンツ選択画面（図９における画面Ｆ９参照）の表示状態に遷移する。【００９０】
以上説明したように、本実施形態では、まず、携帯電話装置１０が、ダウンロードを希望するコンテンツデータのサイズ情報を含む管理情報の要求を送信する。この要求を受けたコンテンツサーバ５０は、当該管理情報を携帯電話装置１０へ向けて送信する。次に、管理情報を受けた携帯電話装置１０が、管理情報に含まれるコンテンツデータのサイズ情報に基づいて、コンテンツデータのサイズが第２所定値を超えるか否かを判定する。この判定結果が否定的であった場合には、携帯電話装置１０は、コンテンツデータのダウンロード要求を送信する。そして、このダウンロード要求に応答してコンテンツサーバ５０から返送されてきたコンテンツデータを受信し、一時的格納領域８６内の履歴領域８７に格納する。【００９１】
一方、上記の判定結果は肯定的であった場合には、携帯電話装置１０が、恒久的格納領域８１にコンテンツデータを格納するための空き領域が存在するか否かを判定する。この判定が肯定的であった場合には、携帯電話装置１０は、コンテンツデータのダウンロード要求を送信する。このダウンロード要求に応答してコンテンツサーバ５０から返送されてきたコンテンツデータを受信し、恒久的格納領域８１に格納する。【００９２】
この結果、コンテンツデータは、そのサイズに応じて、一時的格納領域８６、又は、可能な場合には恒久的格納領域８１のいずれかに適宜に格納されるので、大きな一時的格納領域を用意せずに、適切な数の操作の履歴を一時的格納領域内に保持できるとともに、不要なダウンロード動作を行わずに済む。したがって、本実施形態によれば、簡易な構成で利用者の利便性を向上することができる。【００９３】
また、本実施形態では、空き領域に関する判定結果が否定的な場合には、携帯電話装置１０が、利用者に対して、空き領域のサイズをコンテンツデータのサイズ以上に確保することを示唆する。このため、利用者が、ダウンロード前にコンテンツデータの格納領域を確保する必要があるか否かを判断することができる。【００９４】
また、本実施形態では、管理情報を受けた携帯電話装置１０が、管理情報内のサイズ情報に基づいて、コンテンツデータのダウンロードに使用するデータ通信方式を決定し、決定された通信方式を指定して、コンテンツデータのダウンロード要求を送信する。このため、ダウンロードするコンテンツデータのデータサイズに応じて適切な通信方式が選択されるので、データ回線の利用効率の低下を招かず、かつ、合理的な時間内に目的データのダウンロードを完了することができる。【００９５】
また、本実施形態では、携帯電話装置１０が、管理情報中のデータサイズ（ＳＩＺＥ）を表示して、ダウンロードを実行するか否かを、利用者の判断に委ねている。このため、利用者が目的データのサイズを見て、予想されるダウンロード時間、その時点におけるダウンロードのための時間的余裕等を考慮して、その時点でコンテンツデータのダウンロードを実行するか否かを決定することができる。【００９６】
また、本実施形態では、通信エラー等の発生により、コンテンツデータのダウンロードが完了しなかった場合に、携帯電話装置１０が、既にダウンロードされた部分以降の部分である残部分に関するダウンロード要求である残部分ダウンロード要求を行うようにしている。このため、コンテンツデータのダウンロードが途中で終了してしまった場合であっても、再度目的データの全てのダウンロードを行わずに、先のダウンロード動作の終了時における残部分のみをダウンロードするだけで済む。したがって、効率のよいコンテンツデータのダウンロードを行うことができる。【００９７】
なお、上記の実施形態では、携帯電話装置１０が、残部分ダウンロード要求を１回だけ行うようにしたが、複数回行うようにすることができる。【００９８】
また、上記の実施形態では、ダウンロードするデータをコンテンツデータとしたが、一般のデータについても本発明を適用することができる。【００９９】
また、上記の実施形態では、コンテンツサーバ５０が、管理情報ファイルとコンテンツデータファイルの双方を管理しているようにした。これに対して、コンテンツサーバ５０に代えて、図１５に示されるデータ通信システム１００’のように、管理情報ファイルを管理する管理情報サーバ７１及びコンテンツデータファイルを管理するコンテンツデータサーバ７２をそれぞれ備える構成とすることもできる。【０１００】
また、上記の実施形態では、通信端末装置が携帯電話装置である場合に本発明を適用したが、他の種類の移動通信端末装置、さらには一般の情報通信端末装置にも本発明を適用することができる。
【産業上の利用可能性】
【０１０１】
以上説明したように、本発明のデータ通信方法は、通信端末装置へのデータのダウンロードを行う場合に有用である。また、本発明の移動通信端末装置は、データのダウンロードを行う移動端末装置に適用することができる。
【図１】
0004423295.tif 000002
【図２Ａ】
0004423295.tif 000003
【図２Ｂ】
0004423295.tif 000004
【図３】
0004423295.tif 000005
【図４Ａ】
0004423295.tif 000006
【図４Ｂ】
0004423295.tif 000007
【図４Ｃ】
0004423295.tif 000008
【図５】
0004423295.tif 000009
【図６Ａ】
0004423295.tif 000010
【図６Ｂ】
0004423295.tif 000011
【図７Ａ】
0004423295.tif 000012
【図７Ｂ】
0004423295.tif 000013
【図８】
0004423295.tif 000014
【図９】
0004423295.tif 000015
【図１０】
0004423295.tif 000016
【図１１】
0004423295.tif 000017
【図１２】
0004423295.tif 000018
【図１３】
0004423295.tif 000019
【図１４】
0004423295.tif 000020
【図１５】
0004423295.tif 000021